(57)【特許請求の範囲】
【請求項１】
加熱または冷却した水の供給を行う冷温水供給装置に接続した２本の配管のうち、一方の配管から流入した水を前記冷温水供給装置が加熱または冷却して他方の配管から流出させる、前記冷温水供給装置における水の搬送を補助する送水装置であって、
前記配管を流れる水を加圧して送り出す流量可変の送水ポンプと、
２本の配管に流れる水の流量の違いを検出する流れ検出手段と、
前記流れ検出手段の検出に基づいて、前記送水ポンプが送り出す水の流量を変化させて制御する制御手段と
を備えることを特徴とする送水装置。
【請求項２】
加熱または冷却した水の供給を行う冷温水供給装置に接続した２本の配管のうち、一方の配管から流入した水を前記冷温水供給装置が加熱または冷却して他方の配管から流出させる、前記冷温水供給装置における水の搬送を補助する送水装置であって、
前記配管を流れる水を加圧して送り出す流量可変の送水ポンプと、
２本の配管における水の流れる状態を検出する流れ検出手段と、
前記流れ検出手段の検出に基づいて、前記送水ポンプが送り出す水の流量を変化させて制御する制御手段と
を備え、
前記流れ検出手段は、
前記２本の配管を流れる水の一部が流入する２つの接続口を端部に有し、前記２つの接続口の間の水温が異なっていく温度分布が形成されるように前記水を貯める容器と、
該容器の２つの接続口の間の所定の位置における水温を検出する温度検出器とを備え、
前記制御手段は、前記温度検出器が検出した水温が所定温度範囲を維持できるように前記送水ポンプが送り出す水の流量を変化させることを特徴とする送水装置。
【請求項３】
前記温度検出器は、前記２つの接続口の間の略中間の位置における水温を検出することを特徴とする請求項２に記載の送水装置。
【請求項４】
前記２つの接続口の間に、対となる第一の温度検出器と第二の温度検出器とが設けられて、それぞれ水温を検出することを特徴とする請求項２に記載の送水装置。
【請求項５】
前記制御手段は、前記第一の温度検出器の検出に係る水温と前記第二の温度検出器の検出に係る水温との差が所定値以上になったものと判断すると、前記送水ポンプが送り出す水の流量を、一つ前の変化に係る水の流量にすることを特徴とする請求項４に記載の送水装置。
【請求項６】
前記冷温水供給装置の動作開始を検出するための開始検出手段を備えることを特徴とする請求項１〜５のいずれかに記載の送水装置。
【請求項７】
前記冷温水供給装置から少なくとも動作開始に係る信号を受信するための通信手段を備えることを特徴とする請求項１〜５のいずれかに記載の送水装置。
【請求項８】
加熱または冷却した水の供給を行う冷温水供給装置に接続した２本の配管のうち、一方の配管から流入した水を前記冷温水供給装置が加熱または冷却して他方の配管から流出させる、前記冷温水供給装置における水の搬送を補助する送水装置であって、
前記配管を流れる水を加圧して送り出す流量可変の送水ポンプと、
２本の配管における水の流れる状態を検出する流れ検出手段と、
前記流れ検出手段の検出に基づいて、前記送水ポンプが送り出す水の流量を変化させて制御する制御手段と
を備え、
前記流れ検出手段は、
前記２本の配管とそれぞれ接続し、前記２本の配管を流れる水の一部が流入する流速検出用配管と、
前記流速検出用配管における水の流れる方向及び流速を検出する流速検出器とを備え、
前記制御手段は、前記流速検出器が検出した流速が所定範囲を維持できるように前記送水ポンプが送り出す水の流量を変化させることを特徴とする送水装置。
【請求項９】
前記２本の配管のうち、低温の水が流れる配管に前記送水ポンプを設けることを特徴とする請求項１〜８のいずれかに記載の送水装置。
【発明の詳細な説明】
【技術分野】
【０００１】
この発明は、例えば水を加熱または冷却して所定温度で供給する冷温水供給装置の水の搬送を補助する送水装置に関するものである。
【背景技術】
【０００２】
例えば、加熱または冷却した水をタンク等に供給する冷温水供給装置を有するシステムがある。このようなシステムの冷温水供給装置では、例えば配管を介してタンクから吸入した冷温水（湯水。以下、名称以外は水として説明する）を、ヒートポンプサイクル（冷凍サイクル）を利用して目標温度（または目標範囲の温度）に加熱、冷却して送り出し、別の配管を介して再度タンクに戻す。そして、冷温水供給装置とタンクとの間で水を循環させながらタンク内に貯めた水を所定の温度に保つ。
【０００３】
このとき、冷温水供給装置から流出する水が目標温度となるように、ポンプ（モーター）の回転数を制御し、熱交換器を流入出する水の流量を調節（制御）しながら循環させるようにしている（例えば、特許文献１参照）。ここで、熱交換器、ポンプ等については、標準的仕様のものを組合せて冷温水供給装置を量産することが多い。
【先行技術文献】
【特許文献】
【０００４】
【特許文献１】特開２００９−８５５２４号公報
【発明の概要】
【発明が解決しようとする課題】
【０００５】
上記のように、冷温水供給装置からの水を所定の温度でタンクに戻すようにしているため、冷温水供給装置とタンクとの間には、配管による圧損等を考慮した上で、冷温水供給装置の性能に応じた配管距離等の限度が定められている。しかしながら、設置場所によっては、冷温水供給装置とタンクとの距離が離れざるを得ない場合もある。そこで、例えば、配管距離を拡大するために、大揚程（時間あたりに送出する水量が大きい）のポンプに変更することもできるが、標準的仕様のものを組み合わせた量産をすることができない。
【０００６】
さらに、前述したように冷温水供給装置では、目標温度との関係で流出する水の流量を制御している。このため、例えば、配管延長による圧損まで考慮に含めた流量にしつつ、目標温度を保つために熱交換器についても、仕様の見直し等を行う必要がある。そのため、冷温水供給装置以外のものにより、システムにおける配管延長等の対策を行うことが望ましい。
【０００７】
この発明は上記のような課題を解決するためになされたもので、外部からの搬送により、冷温水供給装置による水の搬送（循環）を補助することができる送水装置を得ることを目的とする。
【課題を解決するための手段】
【０００８】
上記の目的を達成するために、この発明に係る送水装置は、加熱または冷却した水の供給を行う冷温水供給装置に接続した２本の配管のうち、一方の配管から流入した水を冷温水供給装置が加熱または冷却して他方の配管から流出させる、冷温水供給装置における水の搬送を補助する送水装置であって、配管を流れる水を加圧して送り出す流量可変の送水ポンプと、２本の配管に流れる水の流量の違いを検出する流れ検出手段と、流れ検出手段の検出に基づいて、送水ポンプが送り出す水の流量を変化させて制御する制御手段とを備えるものである。
【発明の効果】
【０００９】
本発明によれば、冷温水供給装置と接続する配管に送水装置を設け、送水装置の送水ポンプによって、配管の圧損による冷温水供給装置における水の搬送能力の低下を補助するようにしたので、例えば冷温水供給装置の機器、以前からの制御内容を変更することなく、冷温水供給装置とタンクとの間の配管距離を拡大する等、配管による機器設置に係る規制をできる限りなくすことができ、自由度を高めることができる。
【図面の簡単な説明】
【００１０】
【図１】送水装置２０を組み込んだヒートポンプ給湯システムの構成図である。
【図２】実施の形態１における送水装置２０を示す構成図である。
【図３】この発明の実施の形態１における容器６内の水の温度分布を表す図である。
【図４】実施の形態２における送水装置２０Ａを示す構成図である。
【図５】この発明の実施の形態２における容器６内の水の温度分布を表す図である。
【図６】実施の形態５における送水装置２０Ｂを示す構成図である。
【発明を実施するための形態】
【００１１】
実施の形態１．
図１は本発明の実施の形態１に係る送水装置２０を中心とするシステムの構成を表す図である。図１では、冷温水供給装置１とタンク２の間に配管接続を行って冷温水循環回路（以下、水循環回路という）を構成する。冷温水供給装置１は、タンク２内の水を加熱または冷却して所定の温度にし、再びタンク２に供給（搬送）する（戻す）装置である。ここでは、水を加熱してタンク２に供給する温水供給装置となるものとする。このため、図１のシステムは給湯を行うためのヒートポンプ給湯システムであるものとして説明する。ここで、以下に示す温度の高低、水の流量の増減等については、特に絶対的な値との関係で高低等が定まっているものではなく、システム、装置等における状態、動作等において相対的に定まるものである。
【００１２】
供給ポンプ１ａは、タンク２の水を低温側配管４を介して冷温水供給装置１に流入させ、加熱装置１ｂにおいて加熱した水を冷温水供給装置１から流出させて高温側配管３を介してタンク２に供給する流れを形成する。ここで、供給ポンプ１ａは、供給制御手段１ｃからの指示に基づいてモーター等の回転数を変化することで、吸入、送出に係る水の流量（単位時間に流れる水量）を増減変化させることができる。
【００１３】
加熱装置１ｂは、水を加熱する装置である。加熱装置１ｂが水を加熱する方法等については特に限定するものではないが、本実施の形態ではヒートポンプサイクルを利用した加熱を行うものとする。このため、加熱装置１ｂにおける水の流路は、冷媒を放熱させて水を加熱するための熱交換器の一部となる。
【００１４】
供給制御手段１ｃは、冷温水供給装置１が備える各手段（機器）の動作を制御する。特に本実施の形態では、加熱装置１ｂ（冷温水供給装置１）から流出する水の温度（水温）が目標温度（例えば６５℃）となるように、供給ポンプ１ａの回転数を変化させて供給ポンプ１ａに流入出する水の流量を制御する。このため、加熱装置１ｂ（冷温水供給装置１）から流出する水の流量は一定になるとは限らない。例えば、加熱装置１ｂに流入する水温が低いような場合には、加熱装置１ｂを通過する水の流量を減らして（回転数を少なくして）、加熱装置１ｂが水に与える熱量を多くする必要がある。逆に水温が高いような場合には、与える熱量が少なくてすむため、水の流量を増やす（回転数を多くする）。このようにして、冷温水供給装置１から目標温度で流出するようにすることで、高温側配管３を介してタンク２に供給する（戻る）水が所定の温度を確保できるようにする。
【００１５】
水を貯めるためのタンク２は、本実施の形態のシステムでは貯湯槽となる。タンク２の上部には、例えば浴槽等に供給する水が流れる給湯配管２ｂを有している。また、タンク２の下部には、給湯配管２ｂから供給された（タンク２から出て行った）分の水（例えば水道水）をタンク２に給水するための給水配管２ａを有している。
【００１６】
高温側配管３は、タンク２の上方に接続され、高温水（例えば６５℃）をタンク２の上部から供給するための配管である。高温側配管３内では冷温水供給装置１からタンク２に向けて水が流れる。さらに、低温側配管４は、タンク２の下部の低温水（例えば１５℃）が流れるようにタンク２の下方に接続される配管である。低温側配管４内ではタンク２から冷温水供給装置１に向けて低温水が流れる。
【００１７】
図２はこの発明の実施の形態１における送水装置２０の構成を示す図である。図２の送水装置２０は、水循環回路上に設けることで、供給ポンプ１ａによる水の循環を補助し、冷温水供給装置１とタンク２との配管距離を延長しても、供給ポンプ１ａが送り出す水の流量を維持したままタンク２に供給するために使用するものである。送水装置２０を設けることで、冷温水供給装置１においては、配管長等に関係なく、目標温度の水を流出させるように流量の制御を行うことができる。
【００１８】
ここで、本実施の形態における送水装置２０は、通信手段等を有しておらず、冷温水供給装置１とは独立して動作するものとする。前述したように、冷温水供給装置１の供給ポンプ１ａが送り出す水の流量は変化するため、送水装置２０には維持すべき絶対的な流量が決まっておらず、送水装置２０は自己の検出、判断等により、送出する流量（回転数）を制御する必要がある。そして、本実施の形態では、容器６内の水について温度に係るバランスを維持できるようにして、送水装置２０が、冷温水供給装置１から流出する水の流量を維持したままタンク２に供給できるような制御をはかる。このため、本実施の形態の送水装置２０は、送水ポンプ５、容器６、温度検出器７及び制御器８を有している。また、図２では特に示していないが、冷温水供給装置１（供給ポンプ１ａ）の動作開始を判断するために水循環回路を流れる流量を検出する流量検出器を設けることもできる。
【００１９】
送水ポンプ５は、水循環回路を流れる水を吸入して加圧して送り出しを行う。この送水ポンプ５は、制御器８の指示に基づいて、モーター等の回転数を変化（増減）して送り出しに係る流量を変化させることができる。ここで、例えば加熱装置１ｂにより水を加熱すると、水から気体が発生して高温側配管３を流れる高温水に混ざってしまうことがある。このような気体を送水ポンプ５が吸入すると、エア噛みが生じ、故障等の原因となる。このため送水ポンプ５は気体が流れない低温側配管４側に設けることが望ましい。そこで、本実施の形態では、低温側配管４上であって、容器６に対してタンク２側（容器６に対して水を流入させる側）に送水ポンプ５を設置する。このため、容器６に対して供給ポンプ１ａが高温水を送り出すことに対応し、送水ポンプ５においても、低温水を吸入して加圧し、送り出しを行う。
【００２０】
また、水循環回路における水の流れる状態を検出するための流れ検出手段として、本実施の形態の送水装置２０は容器６及び温度検出器７を有している。容器６には、制御器８が流量制御を行うための判断材料にする水を貯める。本実施の形態では容器６は柱状であるものとし、特に円柱状であるものとする。容器６には、高温側配管３側からは接続口６ａを介して高温水が流入等し、低温側配管４側からは接続口６ｂを介して低温水が流入等する。このため、容器６の高さ方向に関して水温は一定ではない。そして、高温水と低温水との温度差が大きいため、その境界において温度境界層（急な温度変化が生じている領域）ができる。本実施の形態では、容器６内における水温と容器の高さとの関係（例えば温度境界層の高さ方向の位置）に基づいて、送水ポンプ５の回転数を増減させて水の流量制御を行う。ここで、容器６内に温度境界層を形成するため、また、形成した温度境界層を容器６内にとどめておくため（温度境界層における水がどちらかの配管に押し出されてしまわないようにするため）、送水装置２０における容器６の高さ（高温側配管３と低温側配管４との距離）を上面又は底面の直径より高くすることが望ましい。好ましくは、上面又は底面の直径の約１０倍以上の高さを有するようにし、水の（高さ方向に）移動できる幅をできる限り拡げるようにする。
【００２１】
温度検出器７は温度を検出し、検出に係る信号を制御器８に送信する温度センサである。本実施の形態では、容器６の高さ方向に対してほぼ中間となる位置に設けられ、その位置における水温を検出する。制御器８は、温度検出器７の検出に係る水温に基づいて、送水ポンプ５の回転数を増減させて、送出する流量制御を行う。ここで、本実施の形態では、制御器８は、送水ポンプ５の回転数を段階的に増減（微増、微減）させることができるものとし、急激に増減させることで送水ポンプ５が送り出す水の流量と供給ポンプ１ａが送り出す水の流量とのバランスが乱れないようにする。ここでは段階的にしているが、線形的に行増減させるようにしてもよい。
【００２２】
次に実施の形態１の送水装置２０の動作について説明する。前述したように、本実施の形態では、容器６に対して低温水を送り出す位置に設置しているため、送水ポンプ５が送り出す水の流量が冷温水供給装置１の供給ポンプ１ａにおける水の流量を上回ると、低温側配管４から容器６内に流入する低温水が高温水より多くなる。逆に、送水ポンプ５が送り出す水の流量が冷温水供給装置１の供給ポンプ１ａにおける水の流量を下回ると、高温側配管３から容器６内に流入する高温水が低温水より多くなる。これにより、容器６内の高さ方向における水の温度分布が変化し、温度検出器７が検出する水温が変化する。
【００２３】
冷温水供給装置１の供給ポンプ１ａが動作して水循環回路を水が流れる。初期の段階では、容器６内の水について、安定した温度分布となるようにし、また、温度境界層を形成するため、高温配管３からの高温水を容器６内に流入させるようにする。そこで、制御器８は、例えば流量検出器により水が流れ始めたものと判断すると、あらかじめ定めた初期回転数により送水ポンプ５を駆動させ、少ない流量の水を送出するようにする。
【００２４】
高温側配管３からの高温水が流入することで、容器６内において、温度が高い水の割合が増えてくる。制御器８は、温度検出器７の検出に基づいて、高温側初期所定温度（例えば６０℃）であると判断すると、送水ポンプ５の回転数を増やして送り出す水の流量を増加させる。そうすると、今度は低温側配管４から低温水が流入し、容器６内に温度が低い水の割合が増える。そして、温度検出器７の検出に基づいて、低温側所定温度（例えば３０℃）であると判断すると、送水ポンプ５の回転数を維持し、送水ポンプ５が送り出す水の流量を維持するようにする。ここで、例えば、制御器８は、送水ポンプ５の回転数を増やしてから所定時間経過しても低温側所定温度に達しないと判断すると、例えばさらに１段階、送水ポンプ５の回転数を増やすようにする。
【００２５】
図３は実施の形態１に係る容器６内の水の温度分布を表す図である。例えば容器６内の水が安定していれば、温度境界層が形成される。また、例えば送水ポンプ５と供給ポンプ１ａとの流量がほぼ等しければ、容器６内の水の温度分布にほぼ変化はない。制御器８は、温度検出器７の検出に係る水温が所定温度範囲（例えば３０〜５０℃）の間は、送水ポンプ５の回転数を維持する（送り出す水の流量を変化させない）。この間、送水ポンプ５が送り出す水の流量は、供給ポンプ１ａが送り出す水の流量とバランスがとれている。
【００２６】
例えば、供給ポンプ１ａが送り出す水の流量を増やすと、送水ポンプ５が送り出す水の流量が（相対的に）減り、接続口６ａを介して流入する高温水が多くなることで、温度分布が容器６の高さに対して移動する（図３では左側にシフトする）。制御器８は、温度検出器７の検出に基づいて、水温が５０℃以上となったと判断すると、送水ポンプ５の回転数を増やす。これにより、容器６内に流入する低温水を増やして、容器６内の温度分布と高さとの関係を元に戻すようにする（図３では右側にシフトさせるようにする）。ここで、例えば、制御器８は、送水ポンプ５の回転数を増やしてから所定時間経過しても水温が５０℃以上であると判断すると、例えばさらに１段階、送水ポンプ５の回転数を増やすようにする。
【００２７】
また、供給ポンプ１ａが送り出す水の流量を減らすと、送水ポンプ５が送り出す水の流量が（相対的に）増え、接続口６ｂを介して流入する低温水が多くなることで温度分布が移動する（図３では右側にシフトする）。制御器８は、水温が３０℃以下となったと判断すると、送水ポンプ５の回転数を減少させる。これにより、容器６内に流入する高温水を増やして、容器６内の温度分布と高さとの関係を元に戻すようにする（図３では左側にシフトさせるようにする）。ここで、例えば、制御器８は、送水ポンプ５の回転数を減らしてから所定時間経過しても水温が３０℃以下であると判断すると、例えばさらに１段階、送水ポンプ５の回転数を減らすようにする。このようにして、送水ポンプ５が送り出す水の流量と、供給ポンプ１ａが送り出す水の流量とが同じになるようにし、水の循環の補助を行うようにする。
【００２８】
例えば、冷温水供給装置１が停止し、供給ポンプ１ａが水を送り出さなくなると、容器６内における温度が低い水の割合が多くなっていくため、前述したように、制御器８は送水ポンプ５の回転数を減少させる。供給ポンプ１ａが水を送り出さないことから、容器６内に高温水が流入する量が低温水を上回ることがないため、所定時間が経過しても、温度検出器７の検出に係る水温は３０℃以下であり、送水ポンプ５の回転数を１段階減らすことになる。以上の動作が繰り返され、送水ポンプ５の回転数が段階的に減っていくことで、送水ポンプ５による送り出しもなくなり、送水装置２０における動作も停止する。
【００２９】
以上のように実施の形態１のシステムによれば、冷温水供給装置１とタンク２とを接続する配管に送水装置２０を設け、冷温水供給装置１が有する供給ポンプ１ａによる水の循環について、配管の圧損による搬送能力の低下を送水装置２０が有する送水ポンプ５により補助するようにしたので、例えば冷温水供給装置１の機器、以前からの制御内容を変更することなく、冷温水供給装置１とタンク２との間の配管距離を拡大する（長くする）等、配管によるシステム設置に係る規制をできる限りなくすことができ、自由度を高めることができる。
【００３０】
また、送水装置２０においては、容器６と温度検出器７とを設け、高温側配管３、低温側配管４からの水により、水循環回路における水の循環状況を、温度検出器７の位置における容器６内の水温に基づいて制御器８が判断し、判断に基づいて、送水ポンプ５が送り出す水の流量と供給ポンプ１ａが送り出す水の流量とが同じとなってバランスするように送水ポンプ５が送り出す水の流量を制御するようにしたので、冷温水供給装置１側との通信等を行わなくても、送水装置２０が独立して流量制御を行うことができる。このため、通信用の配線等を付す必要がなく、通信手段を設ける必要がないため、設置の自由度を高めることができ、小型化をはかることができる。
【００３１】
実施の形態２．
図４はこの発明の実施の形態２における送水装置２０Ａの構成を示す図である。図４において、図１と同じ符号を付しているものは、実施の形態１で説明したことと同様の動作、機能を果たす。本実施の形態においては、容器６内に第一の温度検出器９及び第二の温度検出器１０を設ける。ここで、第一の温度検出器９は、容器６の高さ方向において、中位よりも上側（高温側）に設け、第二の温度検出器１０は中位よりも下側（低温側）に設ける。
【００３２】
図５は実施の形態２に係る容器６内の水の高さ方向の温度分布を表す図である。本実施の形態の容器６は、実施の形態１における容器６に比べて径を小さくしたものである。径を小さくすることで、容器６内では、水の自然対流が生じにくく、図５に示すように、温度境界層において水温は急峻に変化する。また、容器６の容積が小さいため、送水ポンプ５、供給ポンプ１ａが送り出す水の流量を変化させると、容器６内における検出に係る水温の変化速度も速くなる。
【００３３】
本実施の形態では、容器６内の水温の変化に対応できるようにするため、対となる第一の温度検出器９及び第二の温度検出器１０を容器６の２箇所に設ける。そして、制御器８においては、送水ポンプ５の送り出す水の流量を減らす（減速する）かどうかの判断を第一の温度検出器９の検出に係る水温に基づいて行う。一方、送水ポンプ５の送り出す水の流量を増やす（増速する）かどうかの判断を第二の温度検出器１０の検出に係る水温に基づいて行う。例えば第一の温度検出器９の検出に係る水温が３０℃以下であると判断すると、送水ポンプ５の回転数を減少させて低温水を送り出す水の流量を減少させ、容器６内に流入する高温水を増やす。また、第二の温度検出器１０の検出に係る水温が５０℃以上であると判断すると、送水ポンプ５の回転数を増加させて低温水を送り出す水の流量を増加させ、容器６内に流入する低温水を増やす。
【００３４】
以上のように、実施の形態２の送水装置２０Ａによれば、容器６の２箇所に第一の温度検出器９及び第二の温度検出器１０を設けるようにしたので、例えば、容器６の上面、底面における面積を小さくして小型化した場合に、容器６内における水の移動が速くなっても対応することができる。このため、容器６の小型化、送水装置２０Ａの小型化を図ることができる。特に容器６の上側にある第一の温度検出器９の検出する水温に基づいて送水ポンプ５の回転数を減少させるかどうかの判断を行い、容器６の下側にある第二の温度検出器１０の検出する水温に基づいて送水ポンプ５の回転数を増加させるかどうかの判断を行うようにしたことで、送水ポンプ５の回転数を必要以上に頻繁に変更（増減）することがなく、信頼性を維持することができる。
【００３５】
実施の形態３．
上述した実施の形態２において、例えば、図５のように温度境界層が形成されている部分は、他の部分に比べて勾配が急となっており、温度変化が大きくなることを表している。このため、第一の温度検出器９と第二の温度検出器１０とが、いずれも温度境界層に係る水温を検出している場合、どちらか一方の温度検出器が温度境界層に係る水温を検出している場合と比べて、検出に係る水温の差が大きくなる。
【００３６】
そこで、制御器８は、第一の温度検出器９、第二の温度検出器１０の検出に係る水温に基づいて、送水ポンプ５の回転数を増加又は減少させた後、第一の温度検出器９の検出に係る水温と第二の温度検出器１０に係る水温との差が所定の温度以上になったものと判断すると、回転数を増加又は減少させる前の回転数に戻すようにする。これにより、容器６内における温度境界層の位置を安定させることで、送水ポンプ５が送り出す水の流量を早期に安定させることができる。
【００３７】
実施の形態４．
前述した実施の形態の送水装置は、冷温水供給装置１との間で通信を行わずに独立して動作するものであった。このため、送水装置２０の制御器８は、冷温水供給装置１の動作の開始、流量検出器の検出に係る水の流量に基づいて判断するようにしていた。例えば、冷温水供給装置１と送水装置２０との間に通信線等を設けることができる場合には、動作開始、停止に関する信号を受信することができる通信手段を設けるようにし、制御器８は受信した信号に基づいて動作を行うようにしてもよい。このとき、実施の形態１において説明した、冷温水供給装置１の動作開始を検出するための流量検出器を設ける必要がなく、また、流量検出器の代わりに設ける通信手段も、動作開始、停止等の簡単な信号（数値データ等の通信量が多くない信号）を受信できるものでよいため、コスト削減等をはかることができる。
【００３８】
ここで、信号に基づいて、冷温水供給装置１が動作を停止しても、送水装置２０は、動作を停止させず、所定時間、動作を続けた後、送水ポンプ５を停止させるようにしてもよい。これにより、冷温水供給装置１が停止して高温側配管３に残った高温水をタンク２に供給し、より多くの高温水をタンクに貯めておくことができる。所定時間については、高温側配管３の配管長等に基づいて、高温水ができるだけ高温側配管３に残らないように、また、加熱されていない水がタンク２に流入しないような時間に設定することが望ましい。
【００３９】
実施の形態５．
図６はこの発明の実施の形態５における送水装置２０Ｂの構成を示す図である。図６において、図１等と同じ符号を付しているものは、実施の形態１で説明したことと同様の動作、機能を果たす。本実施の形態においては、流れ検出手段を、流速検出用配管１１と流速検出器１２とで構成する。そして、流速検出用配管１１を高圧側配管３と低圧側配管４との間に接続する。また、流速検出器１２は、流速検出用配管１１内の水の流速を検出し、検出に係る信号を制御器８に送信するようにする。ここで、流速検出器１２は、流速検出用配管１１の双方向の水の流れに対して流速を検出できるものとする。片方向の流速を検出する検出器の場合には、このような検出器を２台設けることで双方向の水の流れに対応できるようにする。
【００４０】
例えば、送水ポンプ５が送り出す水の流量と供給ポンプ１ａが送り出す水の流量とのバランスがとれた状態で、高圧側配管３を流れる高温水と低圧側配管４を流れる低温水とがほぼ同じ場合には、流速検出用配管１１内の水に流れが生じない。
【００４１】
一方、供給ポンプ１ａが送り出す水の流量が送水ポンプ５が送り出す水の流量より多くなると高温水による圧力が増えるため、流速検出用配管１１内には、高圧側配管３から低圧側配管４の方向に水の流れが発生する。また、送水ポンプ５が送り出す水の流量が供給ポンプ１ａが送り出す水の流量より多くなると低温水による圧力が増えるため、流速検出用配管１１内には、低圧側配管４から高圧側配管３の方向に水の流れが発生する。
【００４２】
制御器８は、流速検出器１２の検出に係る流速とその方向に基づいて、例えば、高圧側配管３から低圧側配管４の方向に発生している流速が所定値以上であると判断すると回転数を上げて送り出す水の流量を増加させる。また、低圧側配管４から高圧側配管３の方向に発生している流速が所定値以上であると判断すると回転数を下げて送り出す水の流量を減少させる。そして、流速の絶対値が所定値より小さいと判断すると、回転数（水の流量）を変更させずに維持する。
【００４３】
以上のように、実施の形態５の送水装置２０Ｂによれば、高圧側配管３と低圧側配管４との間に接続した流速検出用配管１１を流れる水の流速及び流れる方向を流速検出器１２が検出し、検出した流速、方向に基づいて、水循環回路における水の循環状況を制御器８が判断し、判断に基づいて、送水ポンプ５が送り出す水の流量を制御するようにしたので、例えば実施の形態１で説明した容器６よりも省スペースとなる流速検出用配管１１による検出を行うことができ、送水装置２０を小型化することができる。
【００４４】
また、流速検出器１２が水の流れを検出することで、冷温水供給装置１（供給ポンプ１ａ）の動作開始を判断することができるため、動作開始検出用の検出器を備えなくても、送水装置２０は冷温水供給装置１から独立して動作を行うことができ、また、コスト削減等をはかることができる。さらに、水の温度分布、温度境界層を形成しなくてもよいので、早期に流量制御を行うことができ、また、高温水と低温水の温度差が小さいような場合でも対応することができる。
【００４５】
実施の形態６．
上述の実施の形態では、冷温水供給装置１と冷温水タンク２との間に１台の送水装置２０を接続した例について説明したが、配管長等に応じて、複数台の送水装置２０を直列に接続するようにしてもよい。
【００４６】
ここで、前述した実施の形態４においては、冷温水供給装置１が動作を停止して所定時間後に送水ポンプ５を停止させるようにしている。例えば、複数台の送水装置２０を直列に接続した場合には、冷温水供給装置１側からタンク２側に向けて順に動作を送水ポンプ５を停止させるようにすればよい。
【符号の説明】
【００４７】
１  冷温水供給装置、１ａ  供給ポンプ、１ｂ  加熱装置、１ｃ  供給制御手段、２  タンク、２ａ  給水配管、２ｂ  給湯配管、３  高温側配管、４  低温側配管、５  ポンプ、６  容器、６ａ，６ｂ  接続口、７  温度検出器、８  制御器、９  第一の温度検出器、１０  第二の温度検出器、１１  流速検出用配管、１２  流速検出器、２０，２０Ａ、２０Ｂ  送水装置。
【図１】
0005489764.tif 000002
【図２】
0005489764.tif 000003
【図３】
0005489764.tif 000004
【図４】
0005489764.tif 000005
【図５】
0005489764.tif 000006
【図６】
0005489764.tif 000007